(57)【要約】【課題】  ナビゲーション装置間において登録データの交換を容易に行うことを目的とする。【解決手段】  交換前のナビゲーション装置１０Ａに登録した登録データを、情報センタ２０の変換部２４で新しいナビゲーション装置１０Ｂに適合するフォーマット形式の登録データに変換し、変換後の登録データをナビゲーション装置１０Ｂのメモリ１１Ｂに登録する。これにより新たなナビゲーション装置１０Ｂにおいて、登録地などの登録データを再度手入力で登録する作業を行う必要がなく、ナビゲーション装置の利便性が向上する。【選択図】              図１
2005147757.tif 000002
【特許請求の範囲】
【請求項１】
車両に交換可能に搭載され、操作スイッチに接続された第１のナビゲーション装置または第２のナビゲーション装置と、外部に設置された情報センタとの間で通信を行うナビゲーションシステムにおいて、
交換前の前記第１のナビゲーション装置は、第１のフォーマット形式でユーザによって登録された登録データを記憶する第１のメモリと、前記操作スイッチが操作されたときに前記情報センタとの通信を行う第１の通信手段とを備え、
交換後の前記第２のナビゲーション装置は、第２のフォーマット形式で登録データを記憶する第２のメモリと、前記操作スイッチが操作されたときに前記情報センタとの通信を行う第２の通信手段とを備え、
前記情報センタは、前記第１のナビゲーション装置または第２のナビゲーション装置と通信を行う情報センタ通信手段と、
前記第１の登録データを記憶する情報センタメモリと、
前記第１のフォーマット形式の登録データを前記第２のフォーマット形式の登録データへ変換する変換手段とを備え、
前記操作スイッチが操作された場合に、前記第１の通信手段は前記第１のメモリに記憶された前記登録データを前記情報センタに送信し、
前記情報センタは受信した登録データを前記情報センタメモリに記憶し、
前記第１のナビゲーション装置が前記第２のナビゲーション装置に交換され、
前記操作スイッチが操作されて前記第２のナビゲーション装置が前記情報センタに登録データの要求を行った場合に、前記変換手段は前記情報センタメモリに記憶された第１のフォーマット形式の登録データを前記第２のフォーマット形式の登録データに変換し、該変換後の登録データを前記情報センタ通信手段が前記第２のナビゲーション装置へ送信することを特徴とするナビゲーションシステム。
【請求項２】
前記第１の通信手段および前記第２の通信手段は、前記登録データとともにそれぞれが搭載された前記第１のナビゲーション装置または第２のナビゲーション装置のメーカ名、機種名を情報センタへ送信することを特徴とする請求項１記載のナビゲーションシステム。
【請求項３】
前記車両に携帯電話が搭載され、前記第１の通信手段および第２の通信手段は、前記携帯電話を介して前記情報センタとの通信を行うことを特徴とする請求項１または２記載のナビゲーションシステム。
【請求項４】
前記車両にディスプレイが搭載され、
前記第１のナビゲーション装置は表示手段を備え、
前記第１の通信手段によって、前記登録データの送信が完了した後、前記表示手段は前記ディスプレイに登録データ送信が完了した旨の表示を行うことを特徴とする請求項１から３のいずれか１に記載のナビゲーションシステム。
【請求項５】
車両に交換可能に搭載され、操作スイッチに接続された第１のナビゲーション装置または第２のナビゲーション装置と、外部に設置された情報センタとの間で通信を行うナビゲーションシステムにおいて、
交換前の前記第１のナビゲーション装置は、第１のフォーマット形式でユーザによって登録された登録データを記憶する第１のメモリと、前記操作スイッチが操作されたときに前記情報センタとの通信を行う第１の通信手段とを備え、
交換後の前記第２のナビゲーション装置は、第２のフォーマット形式で登録データを記憶する第２のメモリと、前記操作スイッチが操作されたときに前記情報センタとの通信を行う第２の通信手段とを備え、
前記操作スイッチが操作された場合に、前記第１の通信手段は前記第１のメモリに記憶された前記第１のフォーマット形式の登録データを前記情報センタに送信し、
前記第１のナビゲーション装置が前記第２のナビゲーション装置に交換され、前記操作スイッチが操作されて前記第２のナビゲーション装置が前記情報センタに登録データの要求を行い、前記第２の通信手段は前記情報センタから前記第２のフォーマット形式の登録データを受信することを特徴とするナビゲーションシステムにおけるナビゲーション装置。
【請求項６】
車両に交換可能に搭載され、第１のナビゲーション装置または第２のナビゲーション装置と、外部に設置された情報センタとの間で通信を行うナビゲーションシステムにおいて、
前記情報センタは、前記第１のナビゲーション装置または前記第２のナビゲーション装置と通信を行う情報センタ通信手段と、
前記第１のナビゲーション装置から送信された第１のフォーマット形式の登録データを記憶する情報センタメモリと、
前記第１のフォーマット形式の登録データを第２のフォーマット形式の登録データに変換する変換手段とを備え、
前記情報センタ通信手段によって受信した前記第１のナビゲーション装置から送信された前記第１のフォーマット形式の登録データを、前記情報センタメモリに記憶させ、前記第２のナビゲーション装置から登録データの送信要求があった場合に、前記情報センタメモリに記憶された前記第１のフォーマット形式の登録データを第２のフォーマット形式の登録データに変換して前記第２のナビゲーション装置へ送信することを特徴とするナビゲーションシステムにおける情報センタ。
【請求項７】
前記情報センタ通信手段は、前記登録データとともに地図データを前記第２のナビゲーション装置へを送信することを特徴とする請求項１から４、６のいずれか１に記載のナビゲーション装置。
【請求項８】
前記地図データは、前記登録データに含まれる登録地周辺の地図データであることを特徴とする請求項７記載のナビゲーション装置。
【請求項９】
前記変換手段が行う前記登録データのフォーマット形式の変換は、登録地名の修正も行うことを特徴とする請求項１から４、６から８のいずれか１に記載のナビゲーション装置。
【請求項１０】
車両に交換可能に搭載される第１のナビゲーション装置および第２のナビゲーション装置と、外部に設置された情報センタとの間で通信を行うナビゲーションシステムにおいて、
第１のナビゲーション装置から当該第１のナビゲーション装置に備えられた第１のメモリに記憶された第１のフォーマット形式の登録データを前記情報センタに送信し、
前記情報センタは受信した登録データを情報センタメモリに記憶し、
前記第１のナビゲーション装置が前記第２のナビゲーション装置と交換され、前記第２のナビゲーション装置から前記情報センタに登録データの要求を行った場合に、前記情報センタは前記情報センタメモリに記憶された第１のフォーマット形式の登録データを第２のフォーマット形式の登録データに変換し、該変換後の登録データを前記第２のナビゲーション装置へ送信することを特徴とするナビゲーションシステムの登録データ変換方法。
【発明の詳細な説明】
【技術分野】
【０００１】
本発明は、地図情報等を提示するナビゲーションシステムおよびナビゲーションシステムの登録データ変換方法に関する。
【背景技術】
【０００２】
従来、ユーザによって入力されたデータを登録可能とし、たとえば登録されたデータが場所データである場合には登録された場所を読み出し、目的地として設定することによって、この登録された場所までの経路演算などを行うナビゲーション装置がある。
この登録データは、たとえば同一メーカであればナビゲーション装置の買い替え時に、古い装置のメモリから過去に記憶させた登録データを読み出し、新しい装置のメモリに該登録データを書き込むことができた。
これによってナビゲーション装置の買い替え時に、過去に記憶させた登録データを、新たなナビゲーション装置に再度入力し直すといった操作を行う必要がなかった。
【特許文献１】特開２０００−２４１１７８号公報
【発明の開示】
【発明が解決しようとする課題】
【０００３】
しかしながら、このような従来のナビゲーション装置において、買い替え時にメーカが異なる場合には、メーカごとに登録データのフォーマット形式が異なるために、古いナビゲーション装置からデータを読み出しても、新しいナビゲーション装置のメモリへ登録データを書き込むことができず、ユーザが新たなナビゲーション装置に再度手入力で登録データの登録をする作業が発生し、わずらわしいといった問題があった。
【０００４】
そこで本発明はこのような問題点に鑑み、ナビゲーション装置間において登録データの交換を容易に行うことを目的とする。
【課題を解決するための手段】
【０００５】
本発明は、操作スイッチが操作された場合に、第１のナビゲーション装置に備えられた第１の通信手段は、第１のナビゲーション装置に備えられた第１のメモリに記憶された登録データを情報センタに送信し、情報センタは受信した登録データを情報センタに備えられた情報センタメモリに記憶し、操作スイッチが操作され、第２のナビゲーション装置から登録データの送信要求が情報センタにあった場合に、情報センタに備えられた変換手段によって登録データのデータフォーマット形式の変換を行い、変換後の登録データを第２のナビゲーション装置に送信するものとした。
【発明の効果】
【０００６】
本発明によれば、第１のナビゲーション装置に登録した登録データを、情報センタで第２のナビゲーション装置に適合するフォーマット形式の登録データに変換し、変換後の登録データを第２のナビゲーション装置の第２のメモリに登録するので、第２のナビゲーション装置において、登録データを再度手入力で登録する作業を行う必要がなく、ナビゲーション装置の利便性が向上する。
【発明を実施するための最良の形態】
【０００７】
次に本発明の実施の形態を実施例により説明する。
図１に本実施例におけるナビゲーションシステムの構成を示す。
なお本実施例において、ユーザはナビゲーション装置１０Ａからナビゲーション装置１０Ｂへ装置の交換を行うものとする。
車両３０に搭載されたナビゲーション装置１０Ａと、車両外部に設置された情報センタ２０より、ナビゲーションシステム１が構成される。
【０００８】
ナビゲーション装置１０Ａは、情報センタ２０と通信を行うための携帯電話１４と、ユーザによって入力操作が行われる操作スイッチ１３と、ナビゲーション装置１０Ａによって処理された処理結果を表示するためのディスプレイ１２とが接続される。
またナビゲーション装置１０Ａは内部にメモリ１１Ａを備え、メモリ１１Ａにはユーザが操作スイッチ１３を操作することによって登録された登録データが記憶されている。
ナビゲーション装置１０Ｂは、ナビゲーション装置１０Ａと同様の機能を有する交換用の新たなナビゲーション装置であり、内部にメモリ１１Ｂを備えている。
【０００９】
情報センタ２０は、アンテナ２１を介してナビゲーション装置１０Ａまたは１０Ｂと通信を行う制御部２３と、ナビゲーション装置１０Ａから送信された登録データを記憶するメモリ２２と、メモリ２２に記憶された登録データを新しいナビゲーション装置に適合するフォーマット形式に変換する変換部２４とを備える。
【００１０】
次に、ナビゲーション装置と情報センタの動作について説明する。
図２はナビゲーション装置における処理の流れを示す図であり、図３は情報センタにおける処理の流れを示す図である。
まずナビゲーション装置１０Ａ，１０Ｂ側で行われる処理の流れについて説明する。
ステップ１００においてナビゲーション装置１０Ａは、メモリ１１Ａに記憶されたデータをナビゲーション装置１０のメモリ１１Ｂへ移し変えるために、ユーザが操作スイッチ１３を操作して更新指示を行ったかどうかを判断する。
なお、この時点においてはナビゲーション装置１０Ａは車両３０に搭載されている。
【００１１】
更新指示があった場合にはステップ１０１において、ナビゲーション装置１０Ａは携帯電話１４を介して更新作業の開始を知らせる更新信号を情報センタ２０に送信する。
ステップ１０２において、情報センタ２０から送信される登録データ送信要求信号を受信したかどうかを判断する。
この情報センタ２０から送信される登録データ送信要求信号は、登録データの送信開始を指示する信号である。
登録データ送信要求信号を受信した場合には、ステップ１０３においてナビゲーション装置１０Ａは、現在車両３０に搭載されているナビゲーション装置１０Ａのメーカ名や機種名、さらにメモリ１１Ａに記憶されたユーザが登録した登録データを情報センタ２０へ送信する。
【００１２】
ステップ１０４において、情報センタ２０から登録データメモリ完了信号を受信したかどうかを判断する。
この登録データメモリ完了信号は、ステップ１０３においてナビゲーション装置１０Ａが送信した登録データを情報センタ２０が受信し、情報センタ２０内のメモリ２２への記憶が完了した場合に、情報センタ２０がナビゲーション装置１０Ａに送信するものである。
【００１３】
ステップ１０５において、メモリ１１Ａの登録データが情報センタ２０に記憶されたことを知らせるメッセージをディスプレイ１２に表示する。
ユーザは、ディスプレイ１２を見ることによってメモリ１１Ａの登録データが情報センタ２０に記憶されたことを認知し、ナビゲーション装置１０Ａからナビゲーション装置１０Ｂへ装置の交換を行う。これによりディスプレイ１２および操作スイッチ１３がナビゲーション装置１０Ｂに接続される。
【００１４】
新しく取り付けられたナビゲーション装置１０Ｂは、ステップ１０６において、ユーザが情報センタ２０に送信したメモリ１１Ａの登録データをナビゲーション装置１０Ｂに取り込むために、操作スイッチ１３により登録データの送信要求の操作を行ったかどうかを判断する。
ユーザによって登録データの送信要求がされると、ステップ１０７においてナビゲーション装置１０Ｂは、登録データ送信要求と、新しく車両３０に搭載したナビゲーション装置１０Ｂのメーカ名、機種名の情報を情報センタ２０へ送信する。
ステップ１０８において、情報センタ２０からナビゲーション装置１０Ｂのデータフォーマット形式に適合するように変換された登録データを受信したかどうかを判断する。
【００１５】
変換後の登録データを受信した場合には、ステップ１０９において受信した登録データをメモリ１１Ｂへと登録する。
ステップ１１０において、メモリ１１Ｂにデータの登録が完了した旨をディスプレイ１２に表示する。
これによってナビゲーション装置１０Ａのメモリ１１Ａに記憶された登録データが、ナビゲーション装置１０Ｂのメモリ１１Ｂに移し変えられる。
【００１６】
次に情報センタ２０側で行われる処理の流れについて説明する。
ステップ２００において制御部２３は、ナビゲーション装置１０Ａからステップ１０１において送信される更新信号を受信したかどうかを判断する。
ナビゲーション装置の更新作業の開始を知らせる更新信号を受信すると、ステップ２０１において、ナビゲーション装置１０Ａに対してナビゲーション装置１０Ａのメーカ名、機種名およびメモリ１１Ａに記憶された登録データを取得するために、これらのデータの送信を指示する送信要求信号を送信する。
【００１７】
ステップ２０２において、ナビゲーション装置１０Ａに対して送信要求した登録データを受信したかどうかを判断する。
上記のステップ１０３においてナビゲーション装置１０Ａから登録データが送信され、情報センタ２０が該登録データを受信すると、ステップ２０３において、受信したナビゲーション装置１０Ａのメーカ名、機種名およびメモリ１１Ａに記憶された登録データをメモリ２２に記憶する。
【００１８】
登録データの記憶が完了するとステップ２０４において、制御部２３はナビゲーション装置１０Ａに対して登録データの記憶完了を知らせる登録データメモリ完了信号を送信する。
ステップ２０５において、ナビゲーション装置の交換が行われ新たに取り付けられたナビゲーション装置１０Ｂから、登録データ送信要求と、新しく搭載したナビゲーション装置１０Ｂのメーカ名、機種名の情報を受信したかどうかを判断する。
【００１９】
これらの情報を受信するとステップ２０６において、制御部２３はメモリ２２に記憶されている登録データを変換部２４へ送り、ステップ２０５で受信したナビゲーション装置１０Ｂのメーカ名、機種名の情報にもとづいて、変換部２４はナビゲーション装置１０Ｂのフォーマット形式に適合するように登録データの変換を行い、再度メモリ２２に記憶させる。
【００２０】
ステップ２０７において、制御部２３はメモリ２２に記憶された変換後の登録データをナビゲーション装置１０Ｂへ向けて送信する。
これによって、ナビゲーション装置１０Ａのメモリ１１に記憶された登録データが、交換後のナビゲーション装置１０Ｂのメモリ１１Ｂに記憶される
【００２１】
なお、交換前のナビゲーション装置１０Ａと交換後のナビゲーション装置１０Ｂが同一車両に搭載されているものかどうかを判断するために、携帯電話１４の番号をＩＤとして用いる。したがって制御部２３は、ナビゲーション装置１０Ａのメモリ１１Ａの登録データを受信する際に用いられた携帯電話１４のＩＤと、ナビゲーション装置の交換後、ナビゲーション装置１０Ｂから登録データの送信要求が行われた際に用いられた携帯電話１４のＩＤとが一致した場合に、変換後の登録データをナビゲーション装置１０Ｂに送信するものである。
【００２２】
なお本実施例において、ナビゲーション装置１０Ａが本発明における第１のナビゲーション装置を構成し、ナビゲーション装置１０Ｂが本発明における第２のナビゲーション装置を構成する。またメモリ１１Ａが本発明における第１のメモリを構成し、メモリ１１Ｂが本発明における第２のメモリを構成する。さらに、ステップ１０１からステップ１０４が本発明における第１の通信手段を構成し、ステップ１０６からステップ１０８が本発明における第２の通信手段を構成する。またステップ２００、２０１、２０２、２０４、２０６、２０７が本発明における情報センタ通信手段を構成し、ステップ２０６が本発明における変換手段を、メモリ２２が本発明における情報センタメモリを構成する。
【００２３】
本実施例は以上のように構成され、交換前のナビゲーション装置１０Ａに登録した登録データを、情報センタ２０で新しいナビゲーション装置１０Ｂに適合するフォーマット形式の登録データに変換し、変換後の登録データをナビゲーション装置１０Ｂのメモリ１１Ｂに登録するので、新たなナビゲーション装置１０Ｂにおいて、登録地などの登録データを再度登録する作業を手入力で行う必要がなく、ナビゲーション装置の利便性が向上する。
【００２４】
ナビゲーション装置１０Ａは、情報センタ２０から送信された登録データメモリ完了信号を受信すると、ディスプレイ１２に、登録データが情報センタ２０のメモリ２２に記憶された旨の表示を行う。これによりユーザは登録データの送信が完了し、ナビゲーション装置の交換が可能であるかどうかを容易に知ることができる。
【００２５】
次に変形例について説明する。
本変形例は、上記実施例における情報センタ２０側で自動で行っていた動作の一部を、オペレータによって手動で行うものである。
車両３０に搭載されたナビゲーション装置１０Ａから更新信号が送信されると、情報センタ２０側のオペレータはナビゲーション装置１０Ａに対して登録データの送信要求を行う。
情報センタ２０側で要求登録データを受信すると、受信登録データをメモリ２２に記憶する。
【００２６】
ナビゲーション装置の交換作業が終わり、交換後のナビゲーション装置１０Ｂから登録データの送信要求がされると、情報センタ２０側のオペレータは、変換部２４に対してメモリ２２に記憶された登録データの変換指示を行う。オペレータは、変換後のナビゲーション装置１０Ｂのデータフォーマット形式に適合する登録データをナビゲーション装置１０Ｂに対して送信する。
このように、情報センタ２０側のオペレータによって手動で登録データの送受信および登録データのデータフォーマット形式の変換を行うようにしてもよい。
【００２７】
さらに、情報センタ２０から交換後のナビゲーション装置１０Ｂに登録データを送信する際に、ナビゲーション装置１０Ｂには記憶されていない新たに更新された地図データも一緒に送信することもできる。
これによって、登録データの移し変えと同時に地図データのバージョンアップを行うことができる。
【００２８】
また地図データを送信する際に、登録データとして登録されている登録地に近い領域の地図データが更新されている場合に、該登録地に近い更新されている地図データのみを送信することもできる。
このように地図をバージョンアップする際に、必要な領域の地図のみを入手するので、データ量を少なくすることができ、データ通信を行う際の通信時間が短くなり携帯電話１４を用いて通信を行う際の通信費を安くすることができる。
【００２９】
さらに登録データを送信する際に、登録データの登録地名を修正して送ることもできる。この修正は、たとえば登録データの登録地名が「浦和市」であった場合には、変更後の市名である「さいたま市」に登録地名の変換を行ってナビゲーション装置１０Ｂに送信するものである。
これによって、ユーザが登録データの登録地名変更を行う必要がなくなる。
【図面の簡単な説明】
【００３０】
【図１】ナビゲーションシステムの構成を示す図である。
【図２】ナビゲーション装置における処理の流れを示す図である。
【図３】情報センタにおける処理の流れを示す図である。
【符号の説明】
【００３１】
１    ナビゲーションシステム
１０Ａ、１０Ｂ    ナビゲーション装置
１１Ａ、１１Ｂ    メモリ
１２    ディスプレイ
１３    操作スイッチ
１４    携帯電話
２０    情報センタ
２１    アンテナ
２２    メモリ
２３    制御部
２４    変換部
３０    車両
【図１】
2005147757.tif 000003
【図２】
2005147757.tif 000004
【図３】
2005147757.tif 000005